(57)【要約】      （修正有）【課題】透視度計として市販されているものはガラス製または樹脂製である。これらうち１００度まで測定可能なものは長さが１００ｃｍを超え、強風による転倒および、転倒や衝撃により破損しやすいという難点がある。これに対し、透視度が１００度まで測定可能でありながら、転倒による破損の恐れが無く、持ち運びしやすい透視度測定器具を提案する。【解決手段】鏡面によって光学経路を折り返すことにより、試料液体を通過する光学経路の長さを維持したまま、器具の全長寸法を短縮する。【選択図】図１
2013186096.tif 000002
【特許請求の範囲】
【請求項１】
固定された鏡面にて光学経路を折り返すことにより、器具の最大寸法以上の長さの光学経路を構成することを特徴とする、液体の清濁の度合を評価する器具。
【発明の詳細な説明】
【技術分野】
【０００１】
本発明は、液体の清濁の度合を評価する器具に関するものである。
【背景技術】
【０００２】
河川水、上水原水、下水処理水、工業排水などの清濁の評価のために、日本工業規格および日本薬学会において透視度が定められ、これに用いる器具が透視度計として市販されている。非特許文献１においては透視度計の高さを３２ｃｍ、５０ｃｍ、１００ｃｍと述べているので、市販されている透視度計もこれら３種類の長さである。
【０００３】
そのうち１００ｃｍの透視度計の例を図２に示す。本体は全長１００ｃｍを超えるガラス又は樹脂の筒である。
【０００４】
透視度計は屋外においても使用される。設置箇所が不整地である場合や強風が吹くと、高さが５０ｃｍを超えるものは容易に転倒し、容易に破損する。
【０００５】
また、高さが１００ｃｍでガラス製のものは持ち運び、車両での運搬の際にも衝撃により破損するので取扱に注意を要する。
【０００６】
試料液体の透視度が５０度をわずかに超える際には、５０ｃｍの透視度計ではなく１００ｃｍの物を用いることになるが、その場合観察者の目から液面までは５０ｃｍの距離がある。観察者が近視である場合には二重十字の識別についての誤差が大きくなる。
【先行技術文献】
【特許文献】
【０００７】
【特許文献１】特開平９−３１８５３０  公報
【非特許文献】
【０００８】
【非特許文献１】ＪＩＳ Ｋ０１０２  第６節
【非特許文献２】日本薬学会  衛生試験法・注解  ２０１０  ４．１．水質試験法
【発明の概要】
【発明が解決しようとする課題】
【０００９】
課題の一つは、ガラス製であれ樹脂製であれ、１００ｃｍの透視度計は容易に転倒し、転倒すると容易に破損する点である。
【００１０】
二つ目の課題は、試料液体の透視度が５０度付近で前後しうる場合、５０ｃｍの透視度計と１００ｃｍの透視度計と双方を持ち運ぶのは不便であり、一方後者のみを用いると精度が低下する点である。
【課題を解決するための手段】
【００１１】
二つ目の課題に対しては特許文献１により既に解決が可能であり、既存の透視度計に適用できる。
【００１２】
一つ目の課題に対しては、鏡などの反射面によって光学経路を折り返すことにより、試料液体を通過する光学経路の長さを維持したまま、器具の全長寸法を短縮する。
【００１３】
図３〜図５に示す形態においては観察面は定位置であるため、透視度を数値で表すためには特許文献１に倣い標識板を移動させるという概念を利用する。
【発明の効果】
【００１４】
器具の全長寸法を、測定可能な度数の半分以下にまで小さくすることが可能である。従って取扱や収納が非常に簡便になる。
【００１５】
さらに転倒による破損の可能性が大きく減少する。特に図３に示す形態にあっては転倒しない。
【００１６】
観察面から観察者の目に至るまで距離を制約するものがないため、観察者の視力によらず安定した二重十字の識別が可能である。
【００１７】
突出した寸法がない直方体に近い形状となるため、収納場所の制約が少ない。安定した姿勢で保管することが可能である。
【図面の簡単な説明】
【００１８】
【図１】本発明における光学経路の概略を示す平面図
【図２】市販されている「１００度」用の透視度計の例の斜視図
【図３】本発明の実施例のひとつを斜視図で示した図
【図４】本発明の実施例のひとつを斜視図で示した図
【図５】本発明の実施例のひとつを斜視図で示した図
【図６】本発明のうち用途を限定した形態の平面図
【図７】本発明のうち用途を限定した形態の平面図
【発明を実施するための形態】
【００１９】
図３〜図７に本発明による製作例を示す。形状に差異があっても同じ役割をするものは同一の符号で示した。
【００２０】
符号１の水槽は、これに試料液体を満たすものである。標識板の照明条件を非特許文献１に近似するため透明材料とする。底面には非特許文献１に従い目盛を記すことで、符号３の移動標識板の位置を数値化する。
【００２１】
符号２の鏡面は、試料液体中を通過する光学経路を折り返すために使用する。一般的な鏡のほか、金属膜、金属研磨面、プリズムを含む。
【００２２】
符号３の移動標識板は非特許文献１に従い二重十字を記す。これを手で持ち試料液体中に入れ、二重十字が明らかに識別できる位置に移動させる。
【００２３】
符号４の固定標識は非特許文献１に従い二重十字を記す。試料液体がある特定の透視度以上であることが要求され、透視度としての数値を求める必要が無い場合に用いる。
【００２４】
符号５の鏡面は、上方から観察するために設置する。必須ではない。
【実施例１】
【００２５】
図３は平面に置いて使用する形態の製作例である。使用時に転倒することがない形態である。符号５を設置することにより、上方からの観察が可能である。
【実施例２】
【００２６】
図４は平面に置くか、または符号５を設置しない場合は観察者の目の高さにまで持ち上げて使用する形態である。観測する透視度を１００度までとした場合には高さ１５ｃｍ以下で製作可能であり、転倒しても破損には至らない。
【実施例３】
【００２７】
図５は直立状態で使用し上方から観察する形態の製作例である。符号１の上部に排水のための穴を設け、液面の高さを制限する。転倒し破損する恐れはあるものの、持ち運び、保管などの取扱は図２に示す形態より容易になる。
【実施例４】
【００２８】
図６は透視度が１００度以上であることのみを確認するための形態の製作例である。符号１の水槽には目盛を記さない。図示の寸法以内での製作が可能である。
【実施例５】
【００２９】
図７は透視度が２００度以上であることのみを確認するための形態の製作例である。図示の寸法以内での製作が可能である。光学経路の折り返しを多数回行う場合でも、使用する鏡面は一対のみでよい。
【産業上の利用可能性】
【００３０】
河川水、上水原水、下水処理水、工業排水などの清濁の評価において、既存の透視度計の代替が可能である。
【００３１】
液体の透視度が１００度を超え、しかし透明度の範疇にて測定するには不適である液体についても、透視度と同一の尺度で評価が可能である。
【００３２】
ある特定の透視度に達しているか否かのみを判定する場合においては、既存の配管経路に組み込むに当たり、直線区間が当該透視度よりもはるかに短い箇所やエルボ箇所に組み込むことも可能であるため、広い範囲にわたり適用が可能である。
【００３３】
透視度のほか、透明度の評価にも適用可能である。符号１の水槽の代替として枠組により鏡面と標識板を固定する。
【符号の説明】
【００３４】
１              水槽
２              鏡面（光路折り返し用）
３              移動標識板
４              固定標識板
５              鏡面（観察用）
【図１】
2013186096.tif 000003
【図２】
2013186096.tif 000004
【図３】
2013186096.tif 000005
【図４】
2013186096.tif 000006
【図５】
2013186096.tif 000007
【図６】
2013186096.tif 000008
【図７】
2013186096.tif 000009